(57)【要約】【課題】遊技機用記憶素子に貼り付けるラベルの印刷を効率よく行うこと。【解決手段】本発明は、遊技機用記憶素子に貼り付けるための管理ラベルを印刷する装置であって、記憶素子に貼り付けるべき管理ラベルのレイアウトを取得する顧客側入力装置１８と、レイアウトの管理ラベルを印刷する顧客側印刷機１４と、顧客側印刷機１４で印刷された管理ラベルで前記決定されたレイアウトの承認が承認機関から得られたかを判別する判別手段と、決定されたレイアウトの承認が前記承認機関から得られた場合、承認されたレイアウトの管理ラベルを顧客側印刷機１４と同じ印字で印刷する製造側印刷機２４と、を有し、顧客側入力装置１８と、判別手段を有する顧客側コンピュータ１２と、顧客側印刷機１４と、製造側印刷機２４とがネットワーク３０で接続されていることを特徴とするラベル印刷装置、ラベル印刷方法およびラベル貼り付け方法である。【選択図】図１
2009297178.tif 000002
【特許請求の範囲】
【請求項１】
遊技機用記憶素子に貼り付けるための管理ラベルを印刷する装置であって、
前記記憶素子に貼り付けるべき管理ラベルのレイアウトを取得する入力装置と、
前記レイアウトの管理ラベルを印刷する顧客側印刷機と、
前記顧客側印刷機で印刷された管理ラベルで前記決定されたレイアウトの承認が承認機関から得られたかを判別する判別手段と、
前記決定されたレイアウトの承認が前記承認機関から得られた場合、前記承認されたレイアウトの管理ラベルを前記顧客側印刷機と同じ印字で印刷する製造側印刷機と、を有し、
前記入力装置と、前記判別手段を有するコンピュータと、前記顧客側印刷機と、前記製造側印刷機とがネットワークで接続されていることを特徴とするラベル印刷装置。
【請求項２】
コンピュータと、顧客側印刷機と、製造側印刷機とがネットワークで接続されているシステムが遊技機用記憶素子に貼り付けるための管理ラベルを印刷する方法であって、
前記コンピュータが前記記憶素子に貼り付けるべき管理ラベルのレイアウトを取得するステップと、
前記顧客側印刷機が前記レイアウトの管理ラベルを印刷するステップと、
前記コンピュータが前記顧客側印刷機で印刷された管理ラベルで前記決定されたレイアウトの承認が承認機関から得られたかを判別するステップと、
前記決定されたレイアウトの承認が前記承認機関から得られた場合、前記製造側印刷機が前記承認されたレイアウトの管理ラベルを前記顧客側印刷機と同じ印字で印刷するステップと、
を有することを特徴とするラベル印刷方法。
【請求項３】
遊技機用記憶素子に貼り付けるための管理ラベルを印刷する方法であって、
前記記憶素子に貼り付けるべき管理ラベルのレイアウトを決定するステップと、
前記決定されたレイアウトの管理ラベルを顧客側印刷機で印刷するステップと、
前記顧客側印刷機で印刷された管理ラベルで前記決定されたレイアウトの承認を承認機関から得るステップと、
前記決定されたレイアウトの承認が前記承認機関から得られた場合、前記承認されたレイアウトの管理ラベルを前記顧客側印刷機と同じ印字を行う製造側印刷機で印刷するステップと、
を有することを特徴とするラベル印刷方法。
【請求項４】
遊技機用記憶素子に管理ラベルを貼り付ける方法であって、
前記記憶素子に貼り付けるべき管理ラベルのレイアウトを決定するステップと、
前記決定されたレイアウトの管理ラベルを顧客側印刷機で印刷するステップと、
前記顧客側印刷機で印刷された管理ラベルで前記決定されたレイアウトの承認を承認機関から得るステップと、
前記決定されたレイアウトの承認が前記承認機関から得られた場合、前記承認されたレイアウトの管理ラベルを前記顧客側印刷機と同じ印字を行う製造側印刷機で印刷するステップと、
前記製造側印刷機で印刷された管理ラベルを前記記憶素子に貼り付けるステップと、
を有することを特徴とするラベル貼り付け方法。
【発明の詳細な説明】
【技術分野】
【０００１】
本発明は、ラベル印刷装置、ラベル印刷方法およびラベル貼り付け方法に関し、特に、遊技機用記憶素子に貼り付けるラベルのラベル印刷装置、ラベル印刷方法およびラベル貼り付け方法に関する。
【背景技術】
【０００２】
パチンコやパチスロ等の遊技機に用いられるＲＯＭ（Ｒｅａｄ  Ｏｎｌｙ  Ｍｅｍｏｒｙ）等の記憶素子には、遊技機を制御するデータが記憶されている。記憶素子に貼り付けられた管理ラベルは記憶素子の真偽を確認するものであるため、管理ラベルの印字レイアウト等は保安電子通信技術協会等の承認機関の承認を得る必要がある。承認を得た管理ラベルのレイアウトを変更する際は再び承認機関の承認が必要である。
【０００３】
このように、管理ラベルの変更が難しいため、従来は管理ラベルを以下のように作製していた。まず、遊技機メーカー等の顧客が管理ラベルのレイアウトを決定すると、顧客は印刷会社に管理ラベルの版下を製作させる。印刷会社が版下を用い承認機関による承認用の管理ラベルを印刷する。顧客は管理ラベルを入手し、承認機関に管理ラベルの承認を申請する。承認機関の承認が得られると、顧客は印刷会社に上記版下を用い管理ラベルの印刷を指示する。印刷された管理ラベルは記憶素子を製造する製造会社に納品される。製造会社は管理ラベルを記憶素子に貼り付け、記憶素子を顧客に納品する。
【０００４】
特許文献１には、遊技機に装着された記憶素子が不正なものか否かの検査を行う例が開示されている。
【特許文献１】特開２００７−１３５９３２号公報
【発明の開示】
【発明が解決しようとする課題】
【０００５】
しかしながら、従来の方法によれば、決定したレイアウトで版下を作製した後、レイアウトの承認が承認機関から得られなかった場合、版下が無駄になってしまう。また、印刷会社が係わるため、情報や物品の流れが複雑となる。
【０００６】
本発明は、上記課題に鑑みなされたものであり、遊技機用記憶素子に貼り付けるラベルの印刷を効率よく行うことを目的とする。
【課題を解決するための手段】
【０００７】
本発明は、遊技機用記憶素子に貼り付けるための管理ラベルを印刷する装置であって、前記記憶素子に貼り付けるべき管理ラベルのレイアウトを取得する入力装置と、前記レイアウトの管理ラベルを印刷する顧客側印刷機と、前記顧客側印刷機で印刷された管理ラベルで前記決定されたレイアウトの承認が承認機関から得られたかを判別する判別手段と、前記決定されたレイアウトの承認が前記承認機関から得られた場合、前記承認されたレイアウトの管理ラベルを前記顧客側印刷機と同じ印字で印刷する製造側印刷機と、を有し、前記入力装置と、前記判別手段を有するコンピュータと、前記顧客側印刷機と、前記製造側印刷機とがネットワークで接続されていることを特徴とするラベル印刷装置である。
【０００８】
本発明は、コンピュータと、顧客側印刷機と、製造側印刷機とがネットワークで接続されているシステムが遊技機用記憶素子に貼り付けるための管理ラベルを印刷する方法であって、前記コンピュータが前記記憶素子に貼り付けるべき管理ラベルのレイアウトを取得するステップと、前記顧客側印刷機が前記レイアウトの管理ラベルを印刷するステップと、前記コンピュータが前記顧客側印刷機で印刷された管理ラベルで前記決定されたレイアウトの承認が承認機関から得られたかを判別するステップと、前記決定されたレイアウトの承認が前記承認機関から得られた場合、前記製造側印刷機が前記承認されたレイアウトの管理ラベルを前記顧客側印刷機と同じ印字で印刷するステップと、を有することを特徴とするラベル印刷方法である。
【０００９】
本発明は、遊技機用記憶素子に貼り付けるための管理ラベルを印刷する方法であって、前記記憶素子に貼り付けるべき管理ラベルのレイアウトを決定するステップと、前記決定されたレイアウトの管理ラベルを顧客側印刷機で印刷するステップと、前記顧客側印刷機で印刷された管理ラベルで前記決定されたレイアウトの承認を承認機関から得るステップと、前記決定されたレイアウトの承認が前記承認機関から得られた場合、前記承認されたレイアウトの管理ラベルを前記顧客側印刷機と同じ印字を行う製造側印刷機で印刷するステップと、を有することを特徴とするラベル印刷方法である。
【００１０】
本発明は、遊技機用記憶素子に管理ラベルを貼り付ける方法であって、前記記憶素子に貼り付けるべき管理ラベルのレイアウトを決定するステップと、前記決定されたレイアウトの管理ラベルを顧客側印刷機で印刷するステップと、前記顧客側印刷機で印刷された管理ラベルで前記決定されたレイアウトの承認を承認機関から得るステップと、前記決定されたレイアウトの承認が前記承認機関から得られた場合、前記承認されたレイアウトの管理ラベルを前記顧客側印刷機と同じ印字を行う製造側印刷機で印刷するステップと、前記製造側印刷機で印刷された管理ラベルを前記記憶素子に貼り付けるステップと、を有することを特徴とするラベル貼り付け方法である。
【発明の効果】
【００１１】
本発明によれば、管理ラベルのレイアウトの承認が承認機関から得られなかった場合や、管理ラベルのレイアウトが変更された場合においても、版下が無駄になることはない。したがって、遊技機用記憶素子に貼り付けるラベルの印刷を効率よく行うことができる。
【発明を実施するための最良の形態】
【００１２】
以下、図面を参照に本発明の実施例について説明する。
【実施例１】
【００１３】
実施例１に係る遊技機用記憶素子に管理ラベルを貼り付ける方法の例である。図１は実施例１の方法を行うためのシステムを示す図である。図１を参照に、実施例１において用いられるシステムは、顧客側システム１０と製造側システム２０とを有している。顧客側システム１０は、記憶素子を用い遊技機を製造する遊技機メーカーにおけるシステムであり、記憶素子の顧客が用いるシステムである。製造側システム２０は、記憶素子を製造する製造会社が用いるシステムである。顧客側システム１０は、顧客側コンピュータ１２、顧客側印刷機１４、記憶媒体や不揮発性メモリ等の顧客側記憶部１６（記憶装置）およびキーボードやマウス等の顧客側入力部１８（入力装置）を有している。製造側システム２０は、製造側コンピュータ２２、製造側印刷機２４、記憶媒体や不揮発性メモリ等の製造側製造側記憶部２６（記憶装置）を有している。ここで、顧客側印刷機１４と製造側印刷機２４とは同じ印字で印刷することが可能な印刷機であり、例えば同じメーカーかつ同じ型格の印刷機である。顧客側システム１０内は顧客側ネットワーク１１で接続され、製造側システム２０内は製造側ネットワーク２１で接続されている。顧客側コンピュータ１２と製造側コンピュータ２２とはネットワーク３０で接続されている。
【００１４】
図２は実施例１に係る方法の処理を示すフローチャートである。記憶素子の顧客は、顧客側コンピュータ１２において、パチンコやパチスロ等の遊技機の制御用データ等を記憶する記憶素子に貼り付けるべき管理ラベルのレイアウトを決定する（ステップＳ１０）。管理ラベルのレイアウトに含まれる情報としては、例えば、遊技機に用いるプログラムの名称やバージョン情報がある。管理ラベルのレイアウトの決定としては、新しいプログラムに対応し、新規に管理ラベルのレイアウトを作成する場合、または既にあるプログラムに対し管理ラベルを更新する場合がある。
【００１５】
顧客は、顧客側印刷機１４を用い決定されたレイアウトの管理ラベルを印刷する（ステップＳ１２）。顧客は、顧客側印刷機１４で印刷された管理ラベルで決定されたレイアウトの承認を得る（ステップＳ１４）。管理ラベルの印字レイアウト等の承認は保安電子通信技術協会等の承認機関において受ける。顧客は、記憶素子の製造を製造会社に依頼する。製造会社は、記憶素子を製造し、承認されたレイアウトの管理ラベルを製造側印刷機２４で印刷する（ステップＳ１６）。製造側印刷機２４は顧客側印刷機１４と同じ印字が可能である。よって、製造側印刷機２４は、承認された管理ラベルと同じレイアウトのラベルを印刷することができる。製造会社は、印刷された管理ラベルを記憶素子（ＲＯＭ）に貼り付ける（ステップＳ１８）。製造会社は管理ラベルが貼り付けられた記憶素子を顧客に納品する。図３は記憶素子４２に貼り付けられた管理ラベル４０を示す図である。
【００１６】
実施例１に係る方法によれば、製造側印刷機２４と顧客側印刷機１４とが同じ印字で管理ラベルを印刷することができる。よって、顧客は、管理ラベルのレイアウトを決定すると、顧客側印刷機１４で管理ラベルを少量印刷し、承認機関の承認を得ることができる。承認が得られれば、製造会社に依頼し、承認されたレイアウトと同じレイアウトおよび印字の管理ラベルを大量に印刷することができる。よって、承認が得られなかった場合や、管理ラベルのレイアウトが変更された場合は、従来のように版下が無駄になることはない。したがって、遊技機用記憶素子に貼り付けるラベルの印刷を効率よく行うことができる。
【実施例２】
【００１７】
実施例２は、ラベル印刷装置の例である。使用されるシステムは図１と同じであり、顧客側コンピュータ１２は、判別手段を有している。図４は顧客側システム１０の顧客側コンピュータ１２の処理を示すフローチャートである。顧客側入力部１８は、管理ラベルの決定したレイアウトを取得する（ステップＳ２０）。例えば、決定されたレイアウト情報が、キーボード等の顧客側入力部１８から顧客側コンピュータ１２に入力される。または、レイアウト情報は記憶された記憶媒体から顧客側入力部１８を介し顧客側コンピュータ１２に入力される。
【００１８】
顧客側コンピュータ１２は、決定されたレイアウトを顧客側記憶部１６に記憶させる（ステップＳ２２）。顧客側コンピュータ１２は、顧客側印刷機１４に決定されたレイアウトの管理ラベルを印刷させる（ステップＳ２４）。顧客側コンピュータ１２の判別手段は、レイアウトの承認が得られたかを判別する（ステップＳ２６）。レイアウトの承認が得られたか否かの承認情報は、例えば、顧客側入力部１８を介し顧客側コンピュータ１２に入力される。顧客がキーボード等から承認情報を入力してもよいし、承認機関のコンピュータがネットワークを通じ顧客側コンピュータ１２に承認情報を送付してもよい。決定されたレイアウトの承認が得られた場合、顧客側コンピュータ１２は、ステップＳ２２において、顧客側記憶部１６に記憶させたレイアウトの情報を顧客側記憶部１６から取得する（ステップＳ２８）。顧客側コンピュータ１２は、レイアウトの情報をネットワーク３０を介し製造側コンピュータ２２に送信する（ステップＳ３０）。顧客側コンピュータ１２は、管理ラベルが印刷可能であることを製造側コンピュータ２２に送信する（ステップＳ３２）。なお、ステップＳ２８およびＳ３０はステップＳ２６の前に行ってもよい。
【００１９】
図５は製造側システム２０の製造側コンピュータ２２の処理を示すフローチャートである。製造側コンピュータ２２は、レイアウトの情報を顧客側コンピュータ１２から受信する（ステップＳ４０）。製造側コンピュータ２２は、レイアウトの情報を製造側記憶部２６に記憶させる（ステップＳ４２）。製造側コンピュータ２２は、管理ラベルの印刷が可能か否かを判断する（ステップＳ４４）。製造側コンピュータ２２は、顧客側コンピュータ１２から管理ラベルの印刷可能との情報が得られれば、管理ラベルの印刷が可能と判断する。ステップＳ４４において、管理ラベルの印刷が可能と判断された場合、製造側コンピュータ２２は、ステップＳ４２において製造側記憶部２６に記憶されたレイアウトの情報を製造側記憶部２６から取得する（ステップＳ４６）。製造側コンピュータ２２は、取得したレイアウトの管理ラベルを製造側印刷機２４に印刷させる（ステップＳ４８）。これにより、決定されたレイアウトの承認が得られた場合、顧客側印刷機２４が承認されたレイアウトの管理ラベルを顧客側印刷機１４と同じ印字で印刷する。
【００２０】
実施例２のように、顧客側入力部１８（入力装置）と、判別手段を有する顧客側コンピュータ１２と、顧客側印刷機１４と、製造側印刷機２４とがネットワーク３０で接続されているラベル印刷装置を用い管理ラベルの印刷を行うこともできる。
【００２１】
以上、本発明の実施例について詳述したが、本発明は係る特定の実施例に限定されるものではなく、特許請求の範囲に記載された本発明の要旨の範囲内において、種々の変形・変更が可能である。
【図面の簡単な説明】
【００２２】
【図１】図１は実施例１および２に関係するシステムのブロック図である。
【図２】図２は実施例１に係るラベル貼り付け方法のフローチャートである。
【図３】図３は記憶素子に貼り付けられたラベルを示す図である。
【図４】図４は実施例２における顧客側コンピュータの処理を示すフローチャートである。
【図５】図５は実施例２における製造側コンピュータの処理を示すフローチャートである。
【符号の説明】
【００２３】
１０            顧客側システム
１２            顧客側コンピュータ
１４            顧客側印刷機
１６            顧客側記憶部
１８            顧客側入力部
２０            製造側システム
２２            製造側コンピュータ
２４            製造側印刷機
２６            製造側記憶部
３０            ネットワーク
４０            管理ラベル
４２            記憶素子
【図１】
2009297178.tif 000003
【図２】
2009297178.tif 000004
【図３】
2009297178.tif 000005
【図４】
2009297178.tif 000006
【図５】
2009297178.tif 000007